(57)【要約】【課題】  露光位置で印画紙の浮き上がりを抑制しながら、スプライシングテープで繋ぎ合わせた感光材料の通過も許す露光ユニットを構成する。【解決手段】  副走査方向に搬送され印画紙の基材側を案内する基準プレート２５と、この印画紙の感光面側を案内するよう、露光位置Ｘより上流側に配置された前部ガイド体３１と、露光位置より下流側に配置された後部ガイド体３３とを備え、前部ガイド体３１と基準プレート２５との間隔Ｄ１より後部ガイド体３３と基準プレート２５との間隔Ｄ２を小さく設定し、後部ガイド体３３を基準プレート２５から離間する方向に変位自在にバネで付勢した。【選択図】        図３
2005075599.tif 000002
【特許請求の範囲】
【請求項１】
搬送機構によって副走査方向に搬送される感光材料の基材側を案内する基準プレートと、この感光材料の感光面側を案内するガイド体とを対向配置し、搬送によって露光位置に達した感光材料の感光面に対して露光手段によって主走査方向に沿うライン状に露光を行うよう構成されている露光ユニットであって、
前記ガイド体が、前記露光位置より上流側に配置された前部ガイド体と、露光位置より下流側に配置された後部ガイド体とで構成され、前部ガイド体と基準プレートとの間隔より後部ガイド体と基準プレートとの間隔を小さく設定すると共に、この後部ガイド体を、前記基準プレートから離間する方向に変位自在に支持し、かつ、基準プレートの側に付勢手段によって付勢している露光ユニット。
【請求項２】
前記基準プレートと前記ガイド体との間に形成される感光材料の搬送経路が縦向きに設定され、この搬送経路に対して下方から上方に向けて前記感光材料を搬送するよう前記搬送機構が構成されている請求項１記載の露光ユニット。
【請求項３】
前記前部ガイド体と前記基準プレートとの間隔を、感光材料にスプライシングテープを貼着した厚みより大きくすると共に、前記後部ガイド体と前記基準プレートとの間隔を前記感光材料の厚みより僅かに大きく設定してある請求項１又は２記載の露光ユニット。
【発明の詳細な説明】
【技術分野】
【０００１】
本発明は、搬送機構によって副走査方向に搬送される感光材料の基材側を案内する基準プレートと、この感光材料の感光面側を案内するガイド体とを対向配置し、搬送によって露光位置に達した感光材料の感光面に対して露光手段によって主走査方向に沿うライン状に露光を行うよう構成されている露光ユニットに関する。
【背景技術】
【０００２】
上記のように構成された露光ユニットと関連する技術として、以下の構成のものが存在する。つまり、露光ヘッド５ａより上流位置に第１駆動ローラ８１と、これに圧着可能な第１圧着ローラ８２とを配置し、露光ヘッド５ａより下流位置に第２駆動ローラ８３と、これに圧着可能な第２圧着ローラ８４とを配置し、印画紙２の乳剤層（本発明の感光面側）に対向する前ガイド面９１（本発明のガイド体）を形成した前ガイド部材９０と、印画紙２の基材層に対向する後ガイド面９３を形成した後ガイド部材９２（本発明の基準プレート）とを備えている。更に、前ガイド部材９０は、共通の平面上に配置した上流側前ガイド部材９０ａと、中央前ガイド部材９０ｂと、下流側前ガイド部材９０ｃとから成り、後ガイド部材９２は、共通の平面上に配置した上流側後ガイド部材９２ａと、中央後ガイド部材部材９２ｂと、下流側後ガイド部材９２ｃとで成っている。そして、前ガイド部材９０と後ガイド部材９２との間隔（幅Ｗ）が、印画紙２の厚さ（０．２ｍｍ）とデジタルプリント部５の焦点深度（０．５ｍｍ）との和を越えないように設定されている（例えば、特許文献１参照・番号は文献中のものを引用）。
【０００３】
【特許文献１】特開２００２‐２３２７３号公報  （段落番号〔００２５〕〜〔００３６〕、図３）
【発明の開示】
【発明が解決しようとする課題】
【０００４】
基準プレートとガイド体との間にシート状の感光材料を導入して圧着ローラ等の搬送機構によって、この感光材料を副走査方向に搬送し、露光位置において主走査方向に露光を行う構造の露光ユニットを考えるに、この構造の露光ユニットでは、露光位置において感光材料が基準プレートから浮き上がる現象を抑制するためにガイド体を備えている。また、このガイド体と基準プレートとの間の距離は、感光材料の厚みと略一致することが理想であるが、感光材料の滑動性や組立の精度を考慮して感光材料の厚みより僅かに大きく設定しているのが現状である。
【０００５】
写真感光材料としてロール状の印画紙を使用する露光系を考えた場合、感光材料メーカから供給されるロール状の感光材料は、中間部分において比較的厚いスプライシングテープで繋ぎ合わせたものもあり、基準プレートとガイド体との間にスプライシングテープで繋ぎ合わせた感光材料を通過させ得るよう構成する必要もある。
【０００６】
そこで、特許文献１の構成を考えた場合、前ガイド部材が第１、第２圧着ローラの前後（搬送方向での上流側から下流側）の比較的広範な領域に形成されているので、感光材料を平坦な姿勢に維持したまま露光ヘッドでの露光位置に供給できる反面、スプライシングテープで繋ぎ合わせた部位の通過を許すためには、前ガイド部材と後ガイド部材との間隔を比較的大きく設定する必要がある。しかしながら、前ガイド部材と後ガイド部材との間隔を大きくすると、感光材料の位置の位置が厚さ方向で決まらず精度の高い露光を行い難く改善の余地がある。
【０００７】
また、感光材料として印画紙を考えた場合、露光ユニットの部位で印画紙を搬送した際には印画紙の基材を構成する紙の繊維や微粉が、印画紙から分離してガイド部材に付着して成長することも多く、このようにガイド部材に付着成長した繊維や微粉の塊が露光位置において露光のための光線を遮ることにより、プリントされた画像に露光されない領域を発生させることや画質を低下させることもあり、この点にも改善の余地がある。尚、この不都合はロール状の印画紙をプリントサイズに切断する際に発生する繊維類に起因することも知られており、ロール状の印画紙をプリントサイズに切断して用いるものでは重要な課題となっている。
【０００８】
本発明の目的は、露光位置での感光材料の浮き上がりを招くこと無く露光を行うと共に、基準プレートとガイド体との間にスプライシングテープで繋ぎ合わせた感光材料の通過を許す露光ユニットを合理的に構成する点にある。
【課題を解決するための手段】
【０００９】
本発明の特徴は、搬送機構によって副走査方向に搬送される感光材料の基材側を案内する基準プレートと、この感光材料の感光面側を案内するガイド体とを対向配置し、搬送によって露光位置に達した感光材料の感光面に対して露光手段によって主走査方向に沿うライン状に露光を行うよう構成されている露光ユニットにおいて、前記ガイド体が、前記露光位置より上流側に配置された前部ガイド体と、露光位置より下流側に配置された後部ガイド体とで構成され、前部ガイド体と基準プレートとの間隔より後部ガイド体と基準プレートとの間隔を小さく設定すると共に、この後部ガイド体を、前記基準プレートから離間する方向に変位自在に支持し、かつ、基準プレートの側に付勢手段によって付勢している点にある。
【００１０】
この構成により、前部ガイド体と基準プレートとの間に対して感光材料を容易に送り込めるものとなり、後部ガイド体によって感光材料の浮き上がりを抑制した状態での露光を実現する。また、後部ガイド体と基準プレートとの間隔がスプライシングテープで繋ぎ合わせた部位の感光材料の厚みより小さいものでも、スプライシングテープで繋ぎ合せた感光材料を搬送する場合には、後部ガイド体が基準プレートから離間する方向に変位することで、感光材料の通過を可能にする。その結果、露光位置での感光材料の浮き上がりを招くこと無く露光を行うと共に、基準プレートとガイド体との間にスプライシングテープで繋ぎ合わせた感光材料の通過を許す露光ユニットを合理的に構成されたのである。
【００１１】
本発明は、前記基準プレートと前記ガイド体との間に形成される感光材料の搬送経路が縦向きに設定され、この搬送経路に対して下方から上方に向けて前記感光材料を搬送するよう前記搬送機構が構成しても良い。
【００１２】
この構成では、前部ガイド体と基準プレートとの間隔が、後部ガイド体と基準プレートとの間隔より大きいので、例えば、感光材料から発生する塵埃が露光位置に持ち込まれ、後部ガイド体の露光位置側の端部に付着することがあっても、前部ガイド体に妨げられることなく下方へ落下することが可能となり、この露光位置の部位に塵埃が成長する現象を抑制できる。その結果、ガイド体の配置と感光材料の搬送方向との組み合わせにより良好な露光を実現するものとなった。
【００１３】
本発明は、前記前部ガイド体と前記基準プレートとの間隔を、感光材料にスプライシングテープを貼着した厚みより大きくすると共に、前記後部ガイド体と前記基準プレートとの間隔を前記感光材料の厚みより僅かに大きく設定しても良い。
【００１４】
この構成により、感光材料に対して露光を行う場合には、後部ガイド体が感光材料が殆ど浮き上がらない状態にして適正な露光を行え、また、プライシングテープで繋ぎ合わせた感光材料を搬送する場合には、前部ガイド体の部分においては支障のない搬送を行え、後部ガイド体では、この後部ガイド体が基準プレートから離間する方向に変位するので、この感光材料の搬送を可能にする。その結果、良好な露光を実現しながら、スプライシングテープで繋ぎ合わせた感光材料の通過も許すものとなった。
【発明を実施するための最良の形態】
【００１５】
以下、本発明の実施形態を図面に基づいて説明する。
図１に示すように、感光材料としての銀塩印画紙Ｐ（以下、印画紙と称する）に対して露光を行う露光ブロックＥｘと、このように露光された印画紙Ｐの現像処理を行う現像処理装置としての現像ブロックＤｅと、現像処理後の印画紙Ｐを乾燥する乾燥ブロックＤｒとを筐体１０に収納すると共に、筐体１０の外部には、処理の後に筐体１０の上部から水平方向に送り出される印画紙Ｐをベルト搬送機構１１からソータ（図示せず）に送り、オーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、露光ブロックＥｘにおいて、その画像情報に基づき印画紙Ｐに対して露光を行えるものとなっている。
【００１６】
前記露光ブロックＥｘは、２つの印画紙マガジンＭ、Ｍの一方に収納したロール状の印画紙Ｐを供給ユニットＵ１でプリントサイズに切断して上方に搬送し、この供給ユニットＵ１からの印画紙Ｐを露光ユニットＵ２において鉛直姿勢となる搬送経路を下方から上方に搬送しながら画像情報の露光を行い、この露光ユニットＵ２から上方に送られる印画紙Ｐを前部ローラユニットＵ３において搬送方向を水平方向に変換した後、振分ユニットＵ４で水平方向に送り、この後、後部ローラユニットＵ５から前記現像ブロックＤｅに受け渡すよう構成されている。
【００１７】
前記供給ユニットＵ１は、印画紙マガジンＭからの印画紙Ｐを搬送する複数の圧着ローラ１３と、印画紙Ｐをプリントサイズに切断するカッター１４と、印画紙Ｐを挟持して上方に移動するチャック機構１５とを備えている。前記露光ユニットＵ２は、搬送機構によって印画紙Ｐを下方から上方へ搬送しながら、その印画紙Ｐに対して露光を行うよう露光手段としてのレーザ走査型の露光エンジン１７を備えている。前記全部ローラユニットＵ３は、湾曲状の搬送経路において圧着状態と開放状態とに切り換え自在に配置された複数の搬送ローラ１８を備えている。前記振分ユニットＵ４は、印画紙Ｐを挟持して２列の振り分け経路に振り分ける２つのチャッカーＣＨを備えている。前記後部ローラユニットＵ５は、振分ユニットＵ４で振り分けられた印画紙Ｐを２列の振り分け経路に沿って搬送する複数の圧着ローラ１９を備えている。
【００１８】
前記現像ブロックＤｅには、発色現像槽と漂白定着槽と安定槽とで成る複数の現像処理槽２０を備えると共に、夫々の現像処理槽に印画紙Ｐを供給するよう多数の圧着ローラを有した搬送ユニット２１を備えて構成されている。また、乾燥ブロックＤｒは印画紙に対してブロワー２２からの乾燥空気を供給する搬送経路を形成している。
【００１９】
このように構成された写真プリント装置は従来からのものと基本的に変わるものではなく、本発明では、露光ユニットＵ２における印画紙Ｐの搬送構造に特徴を有するものである。
【００２０】
前記露光ユニットＵ２は、図２及び図３に示すように、全体がアルミニウム等の金属材で形成された主フレームＦ１と、この主フレームＦ１に対して分離自在に支持され、全体がアルミニウム等の金属材で形成された可動フレームＦ２とを備え、主フレームＦ１と可動フレームＦ２との境界位置に印画紙Ｐを鉛直方向に搬送する搬送経路が形成されている。また、この搬送経路に対して印画紙Ｐを副走査方向に搬送する搬送手段を備え、この搬送手段で露光位置Ｘに送り込まれた印画紙Ｐの感光面に対して前記露光エンジン１７からのレーザビームＬＢにより主走査方向にライン状となる露光が行われる。ちなみに、露光エンジン１７は、ケーシングの内部に収納したＲ（赤）、Ｇ（緑）、Ｂ（青）の三原色のレーザ光源からのレーザビームＬＢを音響光学式の変調手段によって光量を調節した後、縦軸芯で回転するポリゴンミラーのミラー面で反射させることにより主走査方向に走査する状態で前記露光位置Ｘに送り出す構造のものが使用されている。尚、露光ヘッドは、蛍光ビーム方式、液晶シャッター方式、ＤＭＤ方式等の使用が可能である。
【００２１】
前記主フレームＦ１に印画紙Ｐの搬送経路の側に印画紙Ｐの基材側に接触して案内するよう平坦に成型された基準プレート２５を備え、この基準プレート２５と対向する位置の前記可動部材Ｆ２に印画紙Ｐの感光面側を案内するガイド体Ｇを備えている、この可動フレームＦ２は下端部に形成した連結軸２６を主フレーム側の凹部２７に係入させ、上端を主フレームＦ１の側に引き寄せる形態でバックル等の保持機構（図示せず）で固定することで、基準プレート２５とガイド体Ｇとを対向する位置関係に保持するよう構成されている。尚、前記基準プレート２５は、前記主フレームＦ１に対してボルト等で固定する構造のものでも、主フレームＦ１に対して一体的に形成された構造のものでも良く、印画紙Ｐに接触する側の案内面２５Ｓが光線の反射を防止するため黒色に着色されている。更に、前記ガイド体Ｇは、印画紙Ｐの搬送方向で露光位置より上流側に配置された前部ガイド体３１と、露光位置Ｘより下流側に配置された後部ガイド体３３とで構成されている（これらのガイド体Ｇの詳細は後述する）。
【００２２】
前記主フレームＦ１の下部位置に前記チャック機構１５からの印画紙Ｐを受け取る圧着型の導入ローラＲ０を備えている。この導入ローラＲ０は駆動回転する主ローラ３５と、この主ローラ３５に対して圧着する圧着位置、及び、離間する開放位置に切換え自在な副ローラ３６とで構成され、主ローラ３５に対してステッピングモータ型の導入モータ３７の駆動力が減速機構３８を介して伝えられ、副ローラ３６はアクチュエータ３９の作動により前記圧着位置と開放位置とに切換え自在に構成されている。
【００２３】
前記搬送手段は、前記導入ローラＲ０からの印画紙Ｐを露光位置Ｘに送り込むよう、この露光位置Ｘより上流側に配置された第１圧着ローラＲ１と、第１圧着ローラＲ１からの印画紙を上方に送るよう露光位置より下流側に配置された第２圧着ローラＲ２とで構成されている。前記第１圧着ローラＲ１は、駆動ローラ４１と、この駆動ローラ４１に圧着することにより回転する従動ローラ４２とで構成され、前記第２圧着ローラＲ２は、駆動ローラ５１と、この駆動ローラ５１に圧着することにより回転する従動ローラ５２とで構成されている。
【００２４】
図２〜図４に示すように、前記夫々の駆動ローラ４１、５１は、その軸部４１Ａ、５１Ａに対して軸芯の沿う方向で複数のローラ部４１Ｂ、５１Ｂを形成した構造を有し、軸部４１Ａ、５１Ａを主フレームＦ１に対して支承している。前記ローラ部４１Ｂ、５１Ｂはアルミニウム等の金属材の外周面にセラミック材をコーティングしており、このローラ部４１Ｂ、５１Ｂを収容する開口を前記基準プレート２５に形成し、かつ、このローラ部４１Ｂ、５１Ｂの外周部が前記開口を介して基準プレート２５の案内面２５Ｓから搬送経路側に僅かに突出する位置関係となるよう該駆動ローラ４１、５１が支承されている。また、主フレームＦ１の側にステッピングモータ型の搬送モータ６０を備え、この搬送モータ６０からの駆動力を第１無端ベルト６１、及び、第２無端ベルト６２で成る減速伝動系を介して駆動ローラ４１、５１に伝える伝動系が形成されている。
【００２５】
前記夫々の従動ローラ４２、５２は、その軸体４２Ａ、５２Ａに対して軸芯に沿う方向でゴムや柔軟な樹脂で成る複数のローラ部４２Ｂ、５２Ｂを形成した構造を有し、この複数のローラ部４２Ｂ、５２Ｂは、前記駆動ローラ４１、５１の複数のローラ部４１Ｂ、５１Ｂと対向する位置に配置されている。また、可動フレームＦ２に対して従動ローラ４２、５２の軸体４２Ａ、５２Ａと平行する姿勢となる一対の操作軸４３、５３を回転自在に支承すると共に、この操作軸４３、５３と一体的に揺動するアーム４４、５４の揺動端に前記従動ローラ４２、５３の軸体４２Ａ、５２Ａを遊転支承してあり、この構造から操作軸４３、５３の軸芯周りでの回動作動によって従動ローラ４２、５２を駆動ローラ４１、５１に圧着する圧着位置と、駆動ローラ４１、５１から離間する開放位置との切換え自在に構成されている。そして、図面には示さないが、夫々の従動ローラ４２、５２を圧着位置に付勢するバネ等の付勢手段を備えている。
【００２６】
前記夫々の操作軸４３、５３の端部に固設したクランク部材４５、５５の揺動端にローラ型のカムフォロア４６、５６を遊転支承し、夫々のカムフォロア４６、５６に接当する回転カム４７、５７を前記主フレームＦ１に支持し、夫々の回転カム４７、５７に対してステッピングモータ型のカムモータ４８、５８からの駆動力をベルト伝動機構４９、５９を介して回転操作するカム操作系を形成している。尚、前記カムフォロア４６、５６の軸芯位置は前記従動ローラ４２、５２の軸芯上に配置され、主フレームＦ１から可動フレームＦ２を分離した場合には、カムフォロア４６、５６と、回転カム４７、５７とが分離する形態となる。
【００２７】
前記前部ガイド体３１と、後部ガイド体３３とは、アルミニウムやステンレス等の板状の素材に対して前記従動ローラ４２、５２のローラ部が挿通する開口を形成してあり、前部ガイド体３１の下流側の端部と、後部ガイド体３３の上流側の端部とを露光位置Ｘを挟んで近接する位置関係に配置してある。更に、前部ガイド体３１は印画紙Ｐの搬送方向の上流側の端部を基準プレート２５から離間する側に緩やかに屈曲させてあり、後部ガイド体３３は、印画紙Ｐの搬送方向の上流側の端部と開口の上流側の端部側とを基準プレート２５から離間する方向に緩やかに屈曲させることにより印画紙Ｐを円滑に搬送できるよう構成している。
【００２８】
主フレームＦ１に対して可動フレームＦ２を備えた状態において、図５に示すように、前記前部ガイド体３１と基準プレート２５との間に間隔Ｄ１となる隙間が形成されるよう位置関係を設定し、また、主フレームＦ１に対して可動フレームＦ２を備えた状態において、主フレームＦ１に対して可動フレームＦ２を備えた状態において、図６に示すように、後部ガイド体３３と基準プレート２５との間に間隔Ｄ２となる隙間が形成されるよう位置関係を設定してある。
【００２９】
つまり、前部ガイド体３１は可動フレームＦ２に対して、その案内面の側から挿入したビス６５を可動フレームＦ２の支持部６６に螺合させることにより連結固定してあり、前部ガイド体３１と支持部６６との間に必要とする厚さのシム（図示せず）を挟み込むことにより基準プレート２５の間の間隔Ｄ１を任意に調節できるようにしている。また、後部ガイド体３３の幅方向（主走査方向）での端部の成形により接当部３３Ａを形成し、この接当部３３Ａに対して複数の孔部３３Ｂを形成してある。この孔部３３Ｂに対して可動フレームＦ２の支持部６７に立設したガイドピン６８を挿通することにより、この後部ガイド体３３を基準プレート２５の案内面２５Ｓと直交する方向に変位自在に支持し、この後部ガイド体３３を最も案内面２５Ｓに接近させた状態で基準プレート２５との間に前記間隔Ｄ２が得るように支持系を構成している。更に、付勢手段としての圧縮コイルバネ６９の付勢力により基準プレート２５の案内面２５Ｓの側に付勢することにより、後部ガイド体３３に対して基準プレート２５から離間する方向に力が作用した場合には、後部ガイド体３３が圧縮コイルバネ６９の付勢力に抗して変位できるように構成している。尚、この後部ガイド体３３においても、支持部６７と後部ガイド体３３との間にシムを挿入することにより基準プレート２５との間の間隔Ｄ２を任意に調節できるように構成されている。
【００３０】
具体的には、間隔Ｄ１は０．８ｍｍに設定され、間隔Ｄ２は０．４ｍｍに設定されている。尚、印画紙Ｐの一般的な厚さは０．２ｍｍ程度であり、印画紙Ｐを比較的厚いスプライシングテープで繋ぎ合わせた場合でも、その厚さが０．８ｍｍを越えることはなく、スプライシングテープで繋ぎ合わせた印画紙Ｐが露光ユニットＵ２の部位に送り込まれた場合でも、前部ガイド体３１の部位と、後部ガイド体３３との部位は容易に通過でき、後部ガイド体３３の部位では前記圧縮コイルバネ６９の付勢力に抗して後部ガイド体３３が基準プレート２５から離間する側に変位することにより印画紙Ｐが通過できるものにしている。
【００３１】
制御系は示さないが、この露光ユニットＵ２では、以下の制御に従って印画紙Ｐの搬送が行われる。つまり、図７に示すように、供給ユニットＵ１のチャック機構１５で挟持された印画紙Ｐを受け入れる際には、導入ローラＲ０の副ローラ３６を開放位置に設定しておき、チャック機構１５のチャック部材１５ａ、１５ａで挟持された印画紙Ｐの先端部を挿入する形態での導入を許す（ａ）。次に、この副ローラ３６を圧着位置に設定することにより主ローラ３５と、この副ローラ３６とで印画紙Ｐを圧着した後に、チャック機構１５のチャック部材１５ａ、１５ａによる挟持が解除され、この挟持が解除された後に導入ローラＲ０を駆動して搬送が開始される（ｂ）。この搬送を継続することにより印画紙Ｐは、その基材の側が基準プレート２５に接触して案内されると同時に、その感光面の側が前部ガイド体３１に案内されるものとなり、このように基準プレート２５と前部ガイド体３１とで案内される状態で印画紙Ｐが第１圧着ローラＲ１の側に送られる。
【００３２】
第１、第２圧着ローラＲ１、Ｒ２の駆動ローラ４１、５１は印画紙Ｐの有無に拘わらず駆動状態にあり、また、導入ローラＲ０で印画紙Ｐの搬送を開始した後には、印画紙Ｐの先端部が前記第１圧着ローラＲ１の部位に達する以前に、前記第１圧着ローラＲ１の従動ローラ４２を開放位置にセットする制御が行われる（ｃ）。そして、この第１圧着ローラＲ１で搬送が可能な位置に印画紙Ｐの先端が達すると、従動ローラ４２を圧着位置にセットする制御により、この第１圧着ローラＲ１の駆動ローラ４１と従動ローラ４２とで印画紙Ｐを圧着して搬送を開始し、このように第１圧着ローラＲ１による搬送を開始した後には、導入ローラＲ０の副ローラ３６を解除位置にセットする制御を行うことにより、印画紙Ｐに対して導入ローラＲ０の側から外力を作用させないようにする（ｄ）。
【００３３】
次に、印画紙Ｐに対する露光が開始された印画紙Ｐの先端が送られる以前に前記第２圧着ローラＲ２の従動ローラ５２を開放位置にセットする制御が行われ（ｅ）、この第２圧着ローラＲ２の部位に印画紙Ｐの先端が達したタイミングで従動ローラ５２を圧着位置にセットする制御により、この第２圧着ローラＲ２の駆動ローラ５１と従動ローラ２２とで印画紙Ｐを圧着して搬送を開始し、このように第２圧着ローラＲ２で印画紙Ｐの搬送を開始した後には、適当なタイミングで第１圧着ローラＲ１の従動ローラ４２を開放姿勢に切り換える制御を行うことにより、第１圧着ローラＲ１の側からの外力を作用させない状態で第２圧着ローラＲ２の搬送力のみによって印画紙Ｐの搬送が行われるのである（ｆ）。
【００３４】
これらの作動は、前記導入ローラＲ０を構成する副ローラ３６のアクチュエータ３９の制御、主ローラ３５を駆動する導入モータ３７の制御、前記第１、第２圧着ローラＲ１、Ｒ２を構成する従動ローラ４２、５２の姿勢を決める回転カム４７、５７を回転操作するカムモータ４８、５８の制御によって実現する。
【００３５】
このように、本発明の露光ユニットＵ２では、前部ガイド体３１と基準プレート２５との間に対して印画紙Ｐを容易に円滑に送り込めるばかりでなく、後部ガイド体３３によって印画紙Ｐの浮き上がりを抑制した状態での露光を実現するものとなり、後部ガイド体３３と基準プレート２５との間隔がスプライシングテープで繋ぎ合わせた部位の印画紙Ｐの厚みより小さく設定したものであるに拘わらず、スプライシングテープで繋ぎ合せた印画紙Ｐを搬送する場合には、後部ガイド体３３が基準プレート２５から離間する方向に変位することにより、この露光ユニットＵ２の搬送系を傷めることなく印画紙Ｐの通過を可能にするのである。特に、この露光ユニットＵ２では印画紙Ｐを下方から上方に搬送するよう搬送方向を設定してあるので、例えば、印画紙Ｐから発生する繊維等の塵埃が露光位置Ｘに持ち込まれ、後部ガイド体３３の露光位置側の端部に付着することがあっても、前部ガイド体３１に妨げられることなく自重により下方へ落下できるので、この露光位置Ｘの部位に塵埃が成長する現象を抑制して良好な画像を形成するものとなっている。
【００３６】
また、この露光ユニットＵ２では、主フレームＦ１に対して可動フレームＦ２を分離自在に構成しているので、印画紙Ｐの搬送経路で印画紙Ｐの詰まりを発生した場合には印画紙Ｐを容易に除去できるものとなり、また、印画紙Ｐの搬送経路にメンテナンスを行う場合にも、搬送経路を大きく開放して良好な作業性を得るものにしている。
【００３７】
〔別実施の形態〕
基準プレートとガイド体との間に感光材料を搬送する搬送機構としてローラとベルトとで感光材料を圧着して搬送するものや、ベルトとベルトとの間に感光材料を圧着して搬送するものであっても良い。また、主フレームＦ１に対して可動フレームＦ２を揺動式に支持することにより、主フレームＦ１に対して可動フレームＦ２を揺動させることによって印画紙Ｐの搬送経路を開放できるよう構成しても良い。
【図面の簡単な説明】
【００３８】
【図１】写真プリント装置の縦断側面図
【図２】搬送経路を構成する主フレームと可動フレームとを示す断面図
【図３】基準プレートとガイド体との位置関係を示す断面図
【図４】駆動ローラと従動ローラとの位置関係及び作動構造を示す斜視図
【図５】前部ガイド体の支持構造を示す断面図
【図６】後部ガイド体の支持構造を示す断面図
【図７】露光ユニットの搬送経路に対する印画紙の搬送順序を示す模式図
【符号の説明】
【００３９】
２５          基準プレート
３１          前部ガイド体
３３          後部ガイド体
６９          付勢手段
Ｇ            ガイド体
Ｐ            感光材料
Ｘ            露光位置
【図１】
2005075599.tif 000003
【図２】
2005075599.tif 000004
【図３】
2005075599.tif 000005
【図４】
2005075599.tif 000006
【図５】
2005075599.tif 000007
【図６】
2005075599.tif 000008
【図７】
2005075599.tif 000009